(57)【要約】【課題】ユーザから測定した健康状態情報からアバター変換アルゴリズムを利用してアバターパラメータを抽出し、抽出されたパラメータを利用してアバターを生成する装置及び方法を提供する。【解決手段】ユーザの生体信号と問診情報のうち、少なくともいずれか一つを入力され、ユーザの健康状態を分析して健康状態情報を出力する状態分析部と、健康状態情報を入力され、健康状態情報とアバターパラメータの関係を示す数式を計算してアバター映像を構成するパラメータを抽出するパラメータ抽出部と、パラメータを利用してアバター映像を生成するアバター生成部とを含むことを特徴とする装置である。【選択図】図１
2008176816.tif 000002
【特許請求の範囲】
【請求項１】
パラメータに基づきアバター映像を生成する装置であって、
ユーザの測定情報またはユーザの問診情報からユーザの身体状況を決定する状態分析部と、
前記決定した身体状況に基づきアバター映像を変化させるパラメータを算出するパラメータ抽出部と、
前記パラメータを利用してアバター映像を生成するアバター生成部と、
を備える装置。
【請求項２】
パラメータに基づきアバター映像を生成する装置であって、
ユーザの測定情報またはユーザの問診情報から決定されたユーザの身体状況の入力を受け、前記身体状況に基づきアバター映像を変化させるパラメータを算出するパラメータ抽出部と、
前記パラメータを利用してアバター映像を生成するアバター生成部と、
を備える装置。
【請求項３】
パラメータに基づきアバター映像を生成するシステムにおける装置であって、
ユーザの測定情報またはユーザの問診情報からユーザの身体状況を決定する状態分析部と、
前記決定した身体状況に基づきアバター映像を変化させるパラメータを算出するパラメータ抽出部と、
を備える装置。
【請求項４】
パラメータに基づきアバター映像を生成するシステムにおける装置であって、
ユーザの測定情報またはユーザの問診情報から決定されたユーザの身体状況に基づいて算出された、アバター映像を変化させるパラメータの入力を受け、前記パラメータを利用してアバター映像を生成するアバター生成部と、
前記生成したアバター映像を表示するディスプレイ部と、
を備える装置。
【請求項５】
ユーザの身体状況に基づいて決定されるパラメータに基づきアバター映像を生成するシステムにおける装置であって、
ユーザの測定情報またはユーザの問診情報からユーザの身体状況を決定する状態分析部を備える装置。
【請求項６】
パラメータに基づきアバター映像を生成するシステムにおける装置であって、
ユーザの測定情報またはユーザの問診情報から決定されたユーザの身体状況の入力を受け、前記身体状況に基づきアバター映像を変化させるパラメータを算出するパラメータ抽出部と、
前記パラメータを利用してアバター映像を生成するアバター生成部と、
前記生成したアバター映像を表示するディスプレイ部と、
を備える装置。
【請求項７】
前記状態分析部で決定される身体状況は、
前記ユーザの現在の身体状況または前記ユーザの身体状況の経時的な変化を分析して一定期間経過後の身体状況のうち、いずれか１つであることを特徴とする請求項１、３、５のいずれか１項に記載の装置。
【請求項８】
前記ユーザの身体状況は、前記ユーザの現在の身体状況または前記ユーザの身体状況の経時的な変化を分析して決定された一定期間経過後の身体状況のうち、いずれか１つであることを特徴とする請求項２、４、６のいずれか１項に記載の装置。
【請求項９】
前記一定期間経過後の身体状況は、回帰的分析を通じて得られることを特徴とする請求項７または８に記載の装置。
【請求項１０】
前記ユーザの測定情報またはユーザの問診情報を入力する入力部をさらに備える請求項１、３、５のいずれか１項に記載の装置。
【請求項１１】
前記アバター映像は、前記ユーザの少なくとも１つの身体部位の少なくとも１つの領域を視覚的に変化させることによって、前記ユーザの身体状況を表現することを特徴とする請求項１、２、４、６、７、８のいずれか１項に記載の装置。
【請求項１２】
前記ユーザの身体部位は、前記ユーザの顔、心臓、消化器官及び呼吸器官のうち少なくとも１つを含むことを特徴とする請求項１１に記載の装置。
【請求項１３】
前記アバター映像は、前記ユーザの顔の筋肉、顔の皮膚色、顔のシワ、顔の幅、心臓の大きさ、心臓の色、消化器官の異常部位の色、呼吸器官の異常部位の色、身体の均衡による身体部位別大きさのうち少なくとも１つが変化されることを特徴とする請求項１１に記載の装置。
【請求項１４】
前記生成したアバター映像をユーザが指定したアドレスに送信する送信部をさらに備える請求項１、２、４、６、７、８のいずれか１項に記載の装置。
【請求項１５】
パラメータに基づきアバター映像を生成する装置の動作方法であって、
ユーザの測定情報またはユーザの問診情報の入力を受けて記憶装置に記憶させる段階と、
前記記憶装置に記憶された情報を利用してユーザの身体状況を算出する段階と、
前記算出した身体状況に基づきアバター映像を変化させるパラメータを算出する段階と、
前記パラメータを利用してアバター映像を生成する段階と、
を有する動作方法。
【請求項１６】
パラメータに基づきアバター映像を生成する装置の動作方法であって、
ユーザの測定情報またはユーザの問診情報から算出されたユーザの身体状況の入力を受けて記憶装置に記憶させる段階と、
前記記憶装置に記憶された身体状況に基づきアバター映像を変化させるパラメータを算出する段階と、
前記パラメータを利用してアバター映像を生成する段階と、
を有する動作方法。
【請求項１７】
パラメータに基づきアバター映像を生成するシステムにおける装置の動作方法であって、
ユーザの測定情報またはユーザの問診情報の入力を受けて記憶装置に記憶させる段階と、
前記記憶装置に記憶された情報を利用してユーザの身体状況を算出する段階と、
前記算出した身体状況に基づきアバター映像を変化させるパラメータを算出する段階と、
を有する動作方法。
【請求項１８】
パラメータに基づきアバター映像を生成するシステムにおける装置の動作方法であって、
ユーザの測定情報またはユーザの問診情報から算出されたユーザの身体状況に基づいて算出された、アバター映像を変化させるパラメータの入力を受けて記憶装置に記憶させる段階と、
前記記憶装置に記憶されたパラメータを利用してアバター映像を生成する段階と、
前記生成したアバター映像を表示する段階と、
を有する動作方法。
【請求項１９】
ユーザの身体状況に基づいて算出されるパラメータに基づきアバター映像を生成するシステムにおける装置の動作方法であって、
ユーザの測定情報またはユーザの問診情報の入力を受けて記憶装置に記憶させる段階と、
前記記憶装置に記憶された情報を利用してユーザの身体状況を算出する段階と、
を有する動作方法。
【請求項２０】
パラメータに基づきアバター映像を生成するシステムにおける装置の動作方法であって、
ユーザの測定情報またはユーザの問診情報から算出されたユーザの身体状況の入力を受けて記憶装置に記憶させる段階と、
前記記憶装置に記憶された身体状況に基づきアバター映像を変化させるパラメータを算出する段階と、
前記パラメータを利用してアバター映像を生成する段階と、
前記生成したアバター映像を表示する段階と、
を有する動作方法。
【請求項２１】
前記ユーザの身体状況は、前記ユーザの現在の身体状況または前記ユーザの身体状況の経時的な変化を分析して決定された一定期間経過後の身体状況のうち、いずれか１つであることを特徴とする請求項１５から２０のいずれか１項に記載の方法。
【請求項２２】
前記一定期間経過後の身体状況は、回帰的分析を通じて得られることを特徴とする請求項２１に記載の方法。
【請求項２３】
ユーザから獲得された健康状態情報を記憶装置に記憶させる段階と、
前記記憶装置に記憶された健康状態情報を用いて前記ユーザの健康状態を分析する段階と、
前記分析データによって前記ユーザの少なくとも１つの身体部位の少なくとも１つの領域についての健康状態情報を視覚的に表現することによって、前記ユーザの健康状態を示すアバター映像を生成する段階と、を含むことを特徴とするアバター映像を生成する装置の動作方法。
【請求項２４】
前記分析データから前記少なくとも１つの領域の変化率を示すパラメータを算出する段階をさらに含み、
前記生成する段階は、前記算出されたパラメータを用いて、前記アバター映像を生成することを特徴とする請求項２３に記載のアバター映像を生成する装置の動作方法。
【発明の詳細な説明】
【技術分野】
【０００１】
本発明は、アバター生成装置及び方法に係り、特に本発明は、ユーザから測定した健康状態情報からアバター変換アルゴリズムを利用してアバターパラメータを抽出し、抽出されたパラメータを利用してアバターを生成する装置及び方法に関する。
【背景技術】
【０００２】
現在の健康状態を確認したり、または将来の健康状態を予測するためには、医療機器を利用し、心電図信号、超音波信号、体脂肪率、ＢＭＩなどを測定した結果を利用するのが一般的である。しかし、前記測定結果は、専門的な数値またはグラフで表現されているために、医学的知識のない一般の人が、前記測定結果から自身の現在健康状態を把握したり、または将来の健康状態を予測して健康管理や疾病の予防に利用するには、困難な面があった。
【０００３】
従って、最近、ユーザから測定された健康情報を利用し、ユーザが自身の健康状態を肉眼で容易に確認することができるように、ユーザの健康状態をイメージで生成してディスプレイする方法が紹介されている。ユーザの健康状態をイメージで生成する方法には、ユーザから入力された運動量と摂取カロリー量とを利用し、肥満程度により変換されたアバターイメージを生成する方法がある。
【０００４】
アバターは、一般的にサイバー空間でユーザの役割を代替するアニメーションキャラクタであり、グラフィック中心のサイバー空間で自身を代表する仮想肉体ということができる。既存のアバターは、二次元でなる絵がほとんどであったが、最近には、コンピュータグラフィック技術の発達により、立体感と現実感とを生かした三次元キャラクタを利用し、現在アバターが利用される分野は、チャットやオンラインゲーム以外にも、サイバーショッピングモール、仮想教育、仮想オフィスなどに拡大されている。
【０００５】
前述のように、従来の方法を利用してユーザが自身の健康状態を確認する場合、医療知識のない一般人が自身の健康状態を確認するのに、困難な面があり、アバターを利用する場合にも、自身の肥満いかんなどを既定のいくつかのアバター映像により確認することができるのに、限定される問題点があった。
【発明の開示】
【発明が解決しようとする課題】
【０００６】
本発明が解決しようとする技術的課題は、ユーザが自身の健康状態を確認するにあたり、前記のような問題点を解決するために、ユーザから測定した健康状態情報からアバター変換アルゴリズムを利用してアバターを構成するパラメータを抽出し、抽出されたパラメータを利用して健康状態によって多様に変化するアバターを生成する装置及び方法を提供することである。
【課題を解決するための手段】
【０００７】
前述の技術的課題を解決するための本発明による、パラメータに基づきアバター映像を生成する装置は、ユーザの測定情報またはユーザの問診情報からユーザの身体状況を決定する状態分析部と、前記決定した身体状況に基づきアバター映像を変化させるパラメータを算出するパラメータ抽出部と、前記パラメータを利用してアバター映像を生成するアバター生成部と、を備える。
【０００８】
また、前述の技術的課題を解決するための本発明による、パラメータに基づきアバター映像を生成する装置は、ユーザの測定情報またはユーザの問診情報から決定されたユーザの身体状況の入力を受け、前記身体状況に基づきアバター映像を変化させるパラメータを算出するパラメータ抽出部と、前記パラメータを利用してアバター映像を生成するアバター生成部と、を備える。
【０００９】
また、前述の技術的課題を解決するための本発明による、パラメータに基づきアバター映像を生成するシステムにおける装置は、ユーザの測定情報またはユーザの問診情報からユーザの身体状況を決定する状態分析部と、前記決定した身体状況に基づきアバター映像を変化させるパラメータを算出するパラメータ抽出部と、を備える。
また、前述の技術的課題を解決するための本発明による、パラメータに基づきアバター映像を生成するシステムにおける装置は、ユーザの測定情報またはユーザの問診情報から決定されたユーザの身体状況に基づいて算出された、アバター映像を変化させるパラメータの入力を受け、前記パラメータを利用してアバター映像を生成するアバター生成部と、前記生成したアバター映像を表示するディスプレイ部と、を備える。
【００１０】
また、前述の技術的課題を解決するための本発明による、ユーザの身体状況に基づいて決定されるパラメータに基づきアバター映像を生成するシステムにおける装置は、ユーザの測定情報またはユーザの問診情報からユーザの身体状況を決定する状態分析部を備える。
また、前述の技術的課題を解決するための本発明による、パラメータに基づきアバター映像を生成するシステムにおける装置は、ユーザの測定情報またはユーザの問診情報から決定されたユーザの身体状況の入力を受け、前記身体状況に基づきアバター映像を変化させるパラメータを算出するパラメータ抽出部と、前記パラメータを利用してアバター映像を生成するアバター生成部と、前記生成したアバター映像を表示するディスプレイ部と、を備える。
【００１１】
望ましくは、前記状態分析部で決定される身体状況は、前記ユーザの現在の身体状況または前記ユーザの身体状況の経時的な変化を分析して一定期間経過後の身体状況のうち、いずれか１つである。
望ましくは、前記ユーザの身体状況は、前記ユーザの現在の身体状況または前記ユーザの身体状況の経時的な変化を分析して決定された一定期間経過後の身体状況のうち、いずれか１つである。
望ましくは、前記一定期間経過後の身体状況は、回帰的分析を通じて得られる。
望ましくは、前記ユーザの測定情報またはユーザの問診情報を入力する入力部をさらに備える。
望ましくは、前記アバター映像は、前記ユーザの少なくとも１つの身体部位の少なくとも１つの領域を視覚的に変化させることによって、前記ユーザの身体状況を表現する。
望ましくは、前記ユーザの身体部位は、前記ユーザの顔、心臓、消化器官及び呼吸器官のうち少なくとも１つを含む。
望ましくは、前記アバター映像は、前記ユーザの顔の筋肉、顔の皮膚色、顔のシワ、顔の幅、心臓の大きさ、心臓の色、消化器官の異常部位の色、呼吸器官の異常部位の色、身体の均衡による身体部位別大きさのうち少なくとも１つが変化される。
望ましくは、前記生成したアバター映像をユーザが指定したアドレスに送信する送信部をさらに備える。
【００１２】
望ましくは、前記生体信号は、心電図信号、超音波信号、皮膚電気活動（ＥＤＡ：ＥｌｅｃｔｒｏＤｅｒｍａｌ Ａｃｔｉｖｉｔｙ）、体温、体脂肪率のうち、少なくともいずれか一つを含み、前記問診情報は、生活習慣、症状、身長、体重、腰回りについての情報のうち、少なくともいずれか一つを含むことが望ましい。
望ましくは、前記健康状態情報は、病院訪問が必要であるか否か（一次スクリーニング）、ストレス／疲労度、健康年齢、皮膚状態、肥満度、身体部位の均衡度、心臓の健康度、消化器官の健康度、呼吸器官の健康度のうち、少なくともいずれか一つを含み、前記パラメータは、顔の筋肉の変化率、顔の皮膚色の変化率、顔のシワの変化率、顔幅の変化率、心臓サイズの変化率、心臓色の変化率、消化器官の異常部位の色変化率、呼吸器官の異常部位の色変化率、身体均衡による身体部位別のサイズ変化率のうち、少なくともいずれか一つを含むことが望ましい。
前記身体部位の均衡度は、八点タッチ式電極法を利用して計算されることが望ましく、前記心臓の健康度は、心臓の心拍数分析を多様に分析して得られ、それは心臓のサイズと色とで表現することが望ましい。
【００１３】
前述の技術的課題を解決するための本発明による、パラメータに基づきアバター映像を生成する装置の動作方法は、ユーザの測定情報またはユーザの問診情報の入力を受けて記憶装置に記憶させる段階と、前記記憶装置に記憶された情報を利用してユーザの身体状況を算出する段階と、前記算出した身体状況に基づきアバター映像を変化させるパラメータを算出する段階と、前記パラメータを利用してアバター映像を生成する段階と、を有する。
【００１４】
また、前述の技術的課題を解決するための本発明による、パラメータに基づきアバター映像を生成する装置の動作方法は、ユーザの測定情報またはユーザの問診情報から算出されたユーザの身体状況の入力を受けて記憶装置に記憶させる段階と、前記記憶装置に記憶された身体状況に基づきアバター映像を変化させるパラメータを算出する段階と、前記パラメータを利用してアバター映像を生成する段階と、を有する。
【００１５】
また、前述の技術的課題を解決するための本発明による、パラメータに基づきアバター映像を生成するシステムにおける装置の動作方法は、ユーザの測定情報またはユーザの問診情報の入力を受けて記憶装置に記憶させる段階と、前記記憶装置に記憶された情報を利用してユーザの身体状況を算出する段階と、前記算出した身体状況に基づきアバター映像を変化させるパラメータを算出する段階と、を有する。
また、前述の技術的課題を解決するための本発明による、パラメータに基づきアバター映像を生成するシステムにおける装置の動作方法は、ユーザの測定情報またはユーザの問診情報から算出されたユーザの身体状況に基づいて算出された、アバター映像を変化させるパラメータの入力を受けて記憶装置に記憶させる段階と、前記記憶装置に記憶されたパラメータを利用してアバター映像を生成する段階と、前記生成したアバター映像を表示する段階と、を有する。
【００１６】
また、前述の技術的課題を解決するための本発明による、ユーザの身体状況に基づいて算出されるパラメータに基づきアバター映像を生成するシステムにおける装置の動作方法は、ユーザの測定情報またはユーザの問診情報の入力を受けて記憶装置に記憶させる段階と、前記記憶装置に記憶された情報を利用してユーザの身体状況を算出する段階と、を有する。
また、前述の技術的課題を解決するための本発明による、パラメータに基づきアバター映像を生成するシステムにおける装置の動作方法は、ユーザの測定情報またはユーザの問診情報から算出されたユーザの身体状況の入力を受けて記憶装置に記憶させる段階と、前記記憶装置に記憶された身体状況に基づきアバター映像を変化させるパラメータを算出する段階と、前記パラメータを利用してアバター映像を生成する段階と、前記生成したアバター映像を表示する段階と、を有する。
【００１７】
望ましくは、前記ユーザの身体状況は、前記ユーザの現在の身体状況または前記ユーザの身体状況の経時的な変化を分析して決定された一定期間経過後の身体状況のうち、いずれか１つである。
望ましくは、前記一定期間経過後の身体状況は、回帰的分析を通じて得られる。
【００１８】
また、前述の技術的課題を解決するための本発明による、アバター映像を生成する装置の動作方法は、ユーザから獲得された健康状態情報を記憶装置に記憶させる段階と、前記記憶装置に記憶された健康状態情報を用いて前記ユーザの健康状態を分析する段階と、前記分析データによって前記ユーザの少なくとも１つの身体部位の少なくとも１つの領域についての健康状態情報を視覚的に表現することによって、前記ユーザの健康状態を示すアバター映像を生成する段階と、を含むことを特徴とする。
【００１９】
望ましくは、前記分析データから前記少なくとも１つの領域の変化率を示すパラメータを算出する段階をさらに含み、前記生成する段階は、前記算出されたパラメータを用いて、前記アバター映像を生成する。
【発明の効果】
【００２０】
本発明による健康状態によるアバター生成装置及び方法によれば、ユーザからリアルタイムで測定した生体信号または問診情報などを利用し、ユーザの現在だけではなく、将来の健康状態を表現するアバター映像を生成してユーザに示すことにより、自身の健康状態を認知するにあたってユーザに便宜を提供でき、アバター映像の変化による興味によって持続的な健康管理を誘導できる。また、生成されたアバター映像データを外部に伝送できるようにすることにより、家族間の健康状態モニタリングを可能にする。
【発明を実施するための最良の形態】
【００２１】
以下、添付された図を参照しつつ、本発明による健康状態によるアバター生成装置及び方法について詳細に説明する。
図１は、本発明によるアバター生成装置の全体的な構成をブロック図で示した図であり、図示されたアバター生成装置は、データ入力部１００、状態分析部１１０、パラメータ抽出部１２０、アバター生成部１３０及びディスプレイ部１４０を含んでなる。図示されたアバター生成装置の動作を、図１０に図示されたアバター生成方法を示すフローチャートと結びつけて説明する。
【００２２】
前記データ入力部１００は、ユーザから測定した心電図信号、超音波信号、ＥＤＡ、体温、体脂肪率などの情報を有する生体信号、または所定の健康状態と関連した質問にユーザが答えた問診情報などを入力される（ステップ１０００）。前記アバター生成装置は、心電図測定装置や体脂肪率測定装置などを含み、直接ユーザから心電図信号や体脂肪率などを測定し、測定された結果を利用することが望ましい。
【００２３】
前記状態分析部１１０は、前記データ入力部１００から生体信号または問診情報などを入力され、前記入力を利用してユーザの健康状態を分析する（ステップ１０１０）。前記状態分析部１１０は、ユーザの生体信号または問診情報から現在の健康状態を分析し、過去の健康データ及び前記分析された現在健康状態データを利用して求めた回帰式を利用し、一定期間経過後の健康状態を予測可能なので、ユーザの将来の健康状態情報を出力することもできる。
【００２４】
前記状態分析部１１０は、前記生体信号または問診情報などを利用し、ユーザの一次スクリーニング判定度（Ｈｓ）、ストレス／疲労度（Ｓｔ）、健康年齢（Ｈａ）、皮膚状態（Ａｇ）、肥満度（Ｏｂ）などの健康状態を分析し、前記健康状態の程度を数値化して出力することが望ましい。
前記一次スクリーニング判定度（Ｈｓ）は、ユーザの病院訪問が必要か否かについての健康状態を示す数値であり、一般的に病院で使用する基本問診事項、例えば生活習慣や疾病症状と関連した問診結果から算出される。
【００２５】
前記ストレス／疲労度（Ｓｔ）は、心電図の隣接したＲＲ（Ｒａｔｅ Ｒａｔｉｏ）波の隔差の標準偏差値と、心電図のＨＲＶ（Ｈｅａｒｔ Ｒａｔｅ Ｖａｒｉａｂｉｌｉｔｙ）スペクトル分析を介して得たＬＦ（Ｌｏｗ Ｆｒｅｑｕｅｎｃｙ）とＨＦ（Ｈｉｇｈ Ｆｒｅｑｕｅｎｃｙ）の比率とを利用して算出される。前記ＬＦは、交感神経系の活性を反映するものであり、心電図のＨＲＶスペクトルのうち、低周波数領域（０．０４〜０．１５Ｈｚ）のパワー値であり、前記ＨＦは、交感神経系の活性を反映するものであり、心電図のＨＲＶスペクトルのうち、高周波数領域（０．１５〜０．４Ｈｚ）のパワー値である。
前記健康年齢（Ｈａ）は、国民健康保険公団または病院などで使用する健康年齢測定のための問診事項のユーザ問診結果から算出される。前記皮膚状態（Ａｇ）は、超音波信号またはＥＤＡから算出され、前記肥満度（Ｏｂ）は、現在の体重を身長の自乗で割った値であるＢＭＩ、腰回り及び体脂肪測定機から測定された体脂肪率から算出される。
【００２６】
前記パラメータ抽出部１２０は、前記状態分析部１１０からユーザの健康状態についての情報を入力され、アバター変換アルゴリズム、すなわち既設定の前記健康状態情報とアバターパラメータとの関係式によってアバターパラメータを抽出する（ステップ１０２０）。前記アバターパラメータ及びアバター変換アルゴリズムについては、以下の図２と図４とを参照して詳細に説明する。
【００２７】
前記アバター生成部１３０は、前記パラメータ抽出部１２０からアバターを構成するパラメータを入力され、前記パラメータを利用してアバターを生成する（ステップ１０３０）。前記ディスプレイ部１４０は、前記生成されたアバターデータを利用し、ユーザの健康状態を示すアバターをディスプレイする（ステップ１０４０）。
前記アバター生成装置は、前記アバター生成部１３０で生成されたアバターデータを外部に伝送する伝送部１５０をさらに含むことが望ましい。前記伝送部１５０は、前記生成されたユーザの健康状態を示すアバターデータを外部に伝送し、ユーザの健康状態を前記アバター生成装置から遠く離れたところも確認することができる。
【００２８】
図２は、アバターを構成するパラメータについての第１実施形態を図示したものであり、ユーザの健康状態を顔の筋肉変化、皮膚色の変化、シワの変化または幅の変化などで表現したものである。
前記顔アバターで、健康状態によってイメージが変化する領域は、前記各パラメータにより設定された領域であり、前記パラメータの値によって各パラメータに設定された領域のイメージが変化する。
【００２９】
前記パラメータ抽出部１２０は、前記状態分析部１１０から、一次スクリーニング判定度（Ｈｓ）、ストレス／疲労度（Ｓｔ）、健康年齢（Ｈａ）、皮膚状態（Ａｇ）、肥満度（Ｏｂ）などのユーザの健康状態情報を入力され、次の式（１）のように計算してアバターパラメータを抽出する。
次の式（１）で、Ａは、図２の２００領域の顔の筋肉の変化率を示すパラメータであり、Ｂは、２１０領域の顔の筋肉の変化率を示すパラメータである。Ｃは、図２の２２０領域の顔の筋肉の変化率を示すパラメータであり、Ｄは、２３０領域の顔の筋肉の変化率を示すパラメータである。
【００３０】
Ｅは図２の２４０及び２５０領域の顔の皮膚色の変化率を示すパラメータであり、Ｆは、２６０領域の顔のシワの変化率を示すパラメータであり、Ｇは、顔幅の変化率を示すパラメータである。前記各パラメータにより生成されるアバターイメージは、左右対称である。
【００３１】
【数１】
2008176816.tif 000003
【００３２】
前記式（１）で、ａ１、ａ２、ａ３、ａ４、ｂ１、ｂ２、ｂ３、ｂ４、ｃ１、ｃ２、ｃ３、ｃ４、ｃ５、ｄ１、ｄ２、ｄ３、ｄ４、ｅ１、ｅ２、ｅ３、ｅ４、ｆ１、ｆ２、ｆ３、ｇ１、ｇ２は、パラメータ定数である。
【００３３】
図３は、図２のアバターパラメータを利用して生成したアバターの実施形態を示す図であり、図３Ａは、ユーザの健康状態が正常である場合に生成されたアバターであり、図３Ｂは、ユーザの虚弱な健康状態である場合に生成されたアバターであり、図３Ｃ、はユーザがストレスを多く受けた状態である場合に生成されたアバターであり、図３Ｄは、ユーザが肥満である健康状態の場合に生成されたアバターである。
【００３４】
図４は、アバターを構成するパラメータについての第２実施形態を図示したものであり、ユーザの健康状態を身体部位の均衡度、心臓の健康度、消化器官の健康度、呼吸器官の健康度などを表現したものである。
前記身体部位の均衡度は、Ｈｂ、Ｈｒａ、Ｈｌａ、Ｈｌｌ、Ｈｒｌパラメータからなっており、前記パラメータは、八点タッチ式電極法を使用した部位別の体脂肪率の測定方法を利用して算出されることが望ましい。
【００３５】
前記Ｈｂは、胴体の体脂肪率を示すパラメータであり、前記Ｈｒａは、右腕の体脂肪率を示すパラメータであり、前記Ｈｌａは、左腕の体脂肪率を示すパラメータであり、前記Ｈｌｌは、左足の体脂肪率を示すパラメータであり、前記Ｈｒｌは、右足の体脂肪率を示すパラメータである。
【００３６】
前記パラメータ抽出部１２０は、前記状態分析部１１０から心電図の隣接したＲＲ波の間隔の差の標準偏差値（ＳＤＳＤ）、心電図の隣接したＲＲ波の間隔の差の平均自乗根（ＲＭＳ：Ｒｏｏｔ Ｍｅａｎ Ｓｑｕａｒｅ）（ＲＭＳＳＤ）、心電図の隣接したＲＲ波の間隔が５０ｍｓ以上である比率（ｐＮＮ５０）、不整脈の有無（ＡＭ）、消化器官関連の問診結果（ＪＳ）、呼吸器官関連の問診結果（ＲＳ）などのユーザの健康状態情報を入力され、心臓の健康度、消化器官の健康度、呼吸器官の健康度などを次の式（２）のように計算して抽出する。
【００３７】
【数２】
2008176816.tif 000004
【００３８】
前記式（２）で、ｉ１、ｉ２、ｉ３、ｉ４、ｉ５、ｊ１、ｊ２、ｋ１、ｋ２は、パラメータ定数である。
前記Ｉは、図４の４００領域の心臓の健康度を示すパラメータであり、前記パラメータによるアバターの４００領域は、心臓健康度が正常である場合、標準サイズの赤色イメージを有し、心臓健康度が非正常である場合、小サイズの赤色イメージを有し、不整脈である場合、灰色イメージを有することが望ましい。
【００３９】
前記Ｊは、図４の４１０領域の呼吸器官の健康度を示すパラメータであり、前記パラメータによるアバターの４１０領域は、呼吸器官の健康度が正常である場合、肌色イメージを有し、呼吸器官の健康度が非正常である場合、灰色イメージを有することが望ましい。  前記Ｋは、図４の４２０領域の消化器官の健康度を示すパラメータであり、前記パラメータによるアバターの４２０領域は、消化器官の健康度が正常である場合、肌色イメージを有し、非正常である場合、灰色イメージを有することが望ましい。
【００４０】
図５は、図２と図４のアバターパラメータを利用して生成したアバターの実施形態を示す図であり、前記図２のパラメータによって生成された顔アバターと前記図４のアバターパラメータによって生成された胴体のアバターとを合成すれば、図５のようなユーザの人体全体の健康状態を確認することができるアバターを生成できる。
【００４１】
図６は、健康状態によって生成されたアバターのデータを伝送されてディスプレイする装置についての実施形態を示す図である。図示されたように、前記方法により生成されたアバター映像データを携帯電話６００、ＰＤＡ（Ｐｅｒｓｏｎａｌ Ｄｉｇｉｔａｌ Ａｓｓｉｓｔａｎｔ）（図示せず）またはＴＶ（図示せず）などを利用してディスプレイするのが望ましい。また、前記アバター生成装置の伝送部１５０が、生成されたアバター映像データを外部の携帯電話６００に伝送し、ユーザは、前記携帯電話６００を介して所望の人の健康状態を確認することができるアバター６１０，６２０，６３０を見ることができる。
【００４２】
図７は、図１の状態分析部１１０についての実施形態を示す詳細ブロック図であり、図示された状態分析部は、生体信号分析部７００、制御部７１０、記録媒体７２０、回帰式算出部７３０及び健康状態予測部７４０を含んでなる。図示された状態分析部の動作を図１１に図示されたユーザの現在生体信号または問診情報を利用し、将来の健康状態を予測する方法を示すフローチャートと結びつけて説明する。
【００４３】
前記生体信号分析部７００は、ユーザから一定期間の間測定された心電図信号、超音波信号、体脂肪率、腰回り、ＢＭＩなどの生体信号または問診情報を入力として受け、ユーザの時間帯別の健康状態を分析する（ステップ１１００）。前記制御部７００は、前記生体信号分析部７００からユーザの健康状態情報を入力され、時間帯別に前記健康状態情報を前記記録媒体７２０に保存させる（ステップ１１１０）。
【００４４】
前記回帰式算出部７３０は、前記記録媒体７２０に保存された時間帯別の健康状態情報を利用し、経時的なユーザの健康状態情報の変化を示す回帰式を算出する（ステップ１１２０）。
前記健康状態予測部７４０は、ユーザから自身のその後の健康状態を確かめようとする日を入力され、それを前記回帰式に代入して一定時間経過後のユーザの健康状態情報を予測して出力する。（ステップ１１３０）。
【００４５】
図８は、前記回帰式を算出する方法を説明するためのグラフであり、現在時間ｔ１までの健康状態情報を利用し、経時的な健康状態情報の変化を分析して回帰式を算出し、前記算出された回帰式に健康状態を予測しようとする時間ｔ２を入力すれば、前記時点ｔ２の健康状態情報を予測できる。
前記状態分析部１１０は、ユーザから健康状態を知りたいとする所望の時点、例えば一ヵ月、六ヵ月または一年後などを入力され、前記回帰式を利用してユーザ所望の時点の健康状態情報を予測することが望ましい。
【００４６】
図９は、現在までの健康状態から将来の健康状態を予測して生成されたアバターについての実施形態を示す図であり、図９Ａ、は現在の健康状態を示すアバターであり、図９Ｂは、一定時間が過ぎた時点での健康状態を予測して生成したアバターである。ユーザは、図９に示されたアバターの変化を確認することにより、自身の現在健康状態が肥満になる可能性が高い状態であるということを予測できる。
【００４７】
図１２Ａ及び図１２Ｂは、本発明によるアバター生成方法を具体的なフローチャートで図示したものである。前記データ入力部１００は、ユーザから測定した心電図信号、超音波信号、体脂肪率、腰回り、ＢＭＩなどの情報を有する生体信号、または所定の健康状態と関連した質問にユーザが答えた問診情報などを入力される（ステップ１２００）。
【００４８】
前記状態分析部１１０は、ユーザが将来の健康状態を確認することを願っているか否かを確認する（ステップ１２１０）。ユーザが現在の健康状態を確認することを所望する場合、前記状態分析部１１０は、前記生体信号または問診情報などを利用し、現在の健康状態情報を生成する（ステップ１２２０）。ユーザが将来の健康状態を確認することを所望する場合、前記状態分析部１１０は、健康状態を確認することを所望する時点ｔをユーザから入力され（ステップ１２３０）、前記生体信号または問診情報などを利用し、前記将来の時点ｔの健康状態情報を予測する（ステップ１２４０）。
【００４９】
前記パラメータ抽出部１２０は、前記状態分析部１１０からユーザの健康状態についての情報を入力され、アバター変換アルゴリズム、すなわち既設定の前記健康状態情報とアバターパラメータとの関係式によってアバターパラメータを抽出する（ステップ１２５０）。
前記アバター生成部１３０は、前記パラメータ抽出部１２０からアバターを構成するパラメータを入力され、前記パラメータを利用してアバターを生成する（ステップ１２６０）。前記ディスプレイ部１４０は、前記生成されたアバターデータを利用し、ユーザの健康状態を示すアバターをディスプレイする（ステップ１２７０）。
【００５０】
前記伝送部１５０は、ユーザから前記生成されたアバターデータを外部に伝送することを所望するか否かを確認し（ステップ１２８０）、ユーザが伝送を所望する場合には、伝送を受ける外部機器のアドレスを入力された後（ステップ１２９０）、前記外部機器に前記生成されたアバターデータを伝送する（ステップ１２９５）。前記外部機器のアドレスは、電話番号、電子メールアドレスまたはＩＰ（Ｉｎｔｅｒｎｅｔ Ｐｒｏｔｏｃｏｌ）アドレスであることが望ましい。
【００５１】
本発明は、またコンピュータで読み取り可能な記録媒体にコンピュータが読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Ｒｅａｄ−Ｏｎｌｙ Ｍｅｍｏｒｙ）、ＲＡＭ（Ｒａｎｄｏｍ−Ａｃｃｅｓｓ Ｍｅｍｏｒｙ）、ＣＤ−ＲＯＭ、磁気テープ、フロッピー（登録商標）ディスク、光データ保存装置などがあり、またキャリアウェーブ（例えばインターネットを介した）の形で具現されるものも含む。また、コンピュータで読み取り可能な記録媒体は、ネットワークに連結されたコンピュータシステムに分散され、分散方式でコンピュータが読み取り可能なコードが保存されて実行されうる。そして、本発明を具現するための機能的なプログラム、コード及びコードセグメントは、本発明が属する技術分野のプログラマにより容易に翻訳可能である。
【００５２】
以上、本発明の望ましい実施形態について詳細に記述したが、本発明が属する技術分野において当業者ならば、特許請求の範囲に定義された本発明の精神及び範囲を外れずに本発明をさまざまに変形または変更して実施できるということが分かるであろう。従って、本発明の今後の実施形態の変更は、本発明の技術を外れるものではない。
【産業上の利用可能性】
【００５３】
本発明の健康状態によるアバター映像の生成方法及び装置は、例えばイメージによる健康管理関連の技術分野に効果的に適用可能である。
【図面の簡単な説明】
【００５４】
【図１】本発明によるアバター生成装置の全体的な構成を示すブロック図である。
【図２】アバターを構成するパラメータについての第１実施形態を示す図である。
【図３Ａ】図２のアバターパラメータを利用して生成したアバターの実施形態を示す図である。
【図３Ｂ】図２のアバターパラメータを利用して生成したアバターの実施形態を示す図である。
【図３Ｃ】図２のアバターパラメータを利用して生成したアバターの実施形態を示す図である。
【図３Ｄ】図２のアバターパラメータを利用して生成したアバターの実施形態を示す図である。
【図４】アバターを構成するパラメータについての第２実施形態を示す図である。
【図５】図２と図４のアバターパラメータを利用して生成したアバターの実施形態を示す図である。
【図６】健康状態によって生成されたアバターのデータを伝送されてディスプレイする装置についての実施形態を示す図である。
【図７】図１の状態分析部についての実施形態を示す詳細ブロック図である。
【図８】現在までの健康状態から将来の健康状態を予測するための回帰式を算出する方法についての実施形態を説明するためのグラフである。
【図９Ａ】現在の健康状態から将来の健康状態を予測して生成されたアバターについての実施形態を示す図である。
【図９Ｂ】現在の健康状態から将来の健康状態を予測して生成されたアバターについての実施形態を示す図である。
【図１０】本発明による全体的なアバター生成方法を示すフローチャートである。
【図１１】現在までの健康状態から将来の健康状態を予測する方法についての実施形態を示すフローチャートである。
【図１２Ａ】本発明によるアバター生成方法を具体的に示すフローチャートである。
【図１２Ｂ】本発明によるアバター生成方法を具体的に示すフローチャートである。
【符号の説明】
【００５５】
１００  データ入力部
１１０  状態分析部
１２０  パラメータ抽出部
１３０  アバター生成部
１４０  ディスプレイ部
１５０  伝送部
【図１】
2008176816.tif 000005
【図２】
2008176816.tif 000006
【図６】
2008176816.tif 000007
【図７】
2008176816.tif 000008
【図１０】
2008176816.tif 000009
【図１１】
2008176816.tif 000010
【図１２Ａ】
2008176816.tif 000011
【図１２Ｂ】
2008176816.tif 000012
【図３Ａ】
2008176816.tif 000013
【図３Ｂ】
2008176816.tif 000014
【図３Ｃ】
2008176816.tif 000015
【図３Ｄ】
2008176816.tif 000016
【図４】
2008176816.tif 000017
【図５】
2008176816.tif 000018
【図８】
2008176816.tif 000019
【図９Ａ】
2008176816.tif 000020
【図９Ｂ】
2008176816.tif 000021